(57)【要約】【課題】  色純度を重視した特性と、輝度を重視した特性とを電気的に高速で切替えることが可能なプロジェクタ装置を提供する。【解決手段】  本発明のプロジェクタ装置は、光源１と、光源１から出射された光を赤色光、緑色光、青色光に時分割で分離するからホイール２と、カラーホイール２によって分離された各色光を変調して画像光を形成する反射型液晶パネル６と、反射型液晶パネル６によって形成された画像光を投射する投射光学系７とを有し、光源１から反射型液晶パネル６に至る光路上に、作動状態と非作動状態とを電気的に切り替え可能であって、作動状態においては、入射した光の短波長側の一部と長波長側の一部の双方または一方を光路外に回折させる共に、それ以外の光を透過させ、非作動時においては、入射した光の全てを透過させる電子フィルタ４が設けられている。【選択図】  図１
2005258163.tif 000002
【特許請求の範囲】
【請求項１】
光源と、前記光源から出射された光を赤色光、緑色光、青色光に時分割で分離する時分割色分離手段と、前記時分割色分離手段によって分離された各色光を変調して画像光を形成する空間的光変調手段と、前記空間的光変調手段によって形成された画像光を投射する投射光学系とを有し、
前記光源から前記空間的光変調手段に至る光路上に、作動状態と非作動状態とを電気的に切り替え可能であって、作動状態においては、入射した光の短波長側の一部と長波長側の一部の双方または一方を前記光路外に回折させると共に、それ以外の光を透過させ、非作動時においては、入射した光の全てを透過させる電子フィルタが設けられたプロジェクタ装置。
【請求項２】
前記電子フィルタは、前記時分割色分離手段と前記空間的光変調手段との間に配置されている請求項１記載のプロジェクタ装置。
【請求項３】
光源と、前記光源から出射された光を赤色光、緑色光、青色光にそれぞれ分離する２以上の色分離手段と、各色分離手段によって分離された各色光を変調して画像光を形成する２以上の空間的光変調手段と、各空間的光変調手段によって形成された２色以上の画像光を合成する合成手段と、前記合成手段によって合成された画像光を投射する投射光学系とを有するプロジェクタ装置において、
前記光源から前記空間的光変調手段に至る光路上に、作動状態と非作動状態とを電気的に切り替え可能であって、作動状態においては、入射した光の短波長側の一部と長波長側の一部の双方または一方を前記光路外に回折させると共に、それ以外の光を透過させ、非作動時においては、入射した光の全てを透過させる電子フィルタが設けられたプロジェクタ装置。
【請求項４】
前記各色分離手段によって分離された各色光の光路上に前記電子フィルタがそれぞれ配置されている請求項３記載のプロジェクタ装置。
【請求項５】
作動状態において回折させる光の波長帯域が互いに異なる２種以上の電子フィルタが直列に配置されている請求項１ないし請求項４のいずれかに記載のプロジェクタ装置。
【発明の詳細な説明】
【技術分野】
【０００１】
本発明は、光源から出射された光を液晶パネルやマイクロミラーなどを用いた空間的光変調手段によって変調して画像光を形成し、形成された画像光を投射するプロジェクタ装置に関するものである。
【背景技術】
【０００２】
照射された光を画像信号に基づいて変調し、所望の画像光を形成する空間的光変調手段として液晶パネルを用いたプロジェクタ装置が従来から知られている。この種のプロジェクタ装置には、上記液晶パネルが１枚である単板式プロジェクタ装置がある。図８に単板式プロジェクタ装置の構造概略を示す。図８に示すプロジェクタ装置では、光源Ａから出射された光は、該光源Ａの周囲に設けられているリフレクタＢによって集光されてカラーホイールＣへ導かれる。カラーホイールＣは、入射した光のうち赤色光のみを透過させる赤フィルタ、緑色光のみを透過させる緑フィルタ、青色光のみを透過させる青フィルタ、入射した光をそのまま透過させる白フィルタの４つの光学フィルタが周方向に沿って均等に配置されたものであり、所定速度で周方向に回転する。従って、カラーホイールＣに入射した光は、Ｒ・Ｇ・Ｂの三原色に時分割で色分離され（分光され）、インテグレータ光学系を構成するライトトンネルＤに入射される。ライトトンネルＤに入射した光は、該ライトトンネルＤを通過する間に輝度分布の均一化が図られ、反射鏡Ｅによって反射されて反射型の液晶パネルＦに照射される。液晶パネルＦは、入力された画像信号に基づいて不図示の駆動回路が出力する駆動信号に従って各画素をＯＮ／ＯＦＦさせることによって、照射された光を空間的に変調して画像光を形成する。形成された画像光は、投射レンズＧを介して不図示のスクリーン上に投射される。このようにして液晶パネルＦ上に形成された画像と略相似な拡大画像がスクリーン上に投写される。
【０００３】
以上の説明より、カラーホイールを構成している光学色フィルタの透過波長特性がスクリーン上に投写される画像の輝度及び色純度に大きな影響を与えることは自明である。一般的に、透過波長帯域が相対的に広い光学フィルタを使用すると、輝度は向上するが色純度が低下する。一方、透過波長帯域が相対的に狭い光学フィルタを使用すると、色純度は向上するが輝度が低下する。このように、輝度向上と色純度向上は相反する関係にあり、輝度と色純度のどちらをより重視するかによって、光学フィルタの特性を選択せざるを得ず、輝度向上と色純度向上とを高いレベルで両立させることは困難であった。
【０００４】
これまでは、単板式プロジェクタ装置を例にとって色分離に関する問題点を説明してきた。しかし、上記問題は、光源から出射された光をダイクロイックミラーによってＲ・Ｇ・Ｂの三原色に分離し、各色光を各色ごとに予め用意された３枚の液晶パネルにそれぞれ照射して画像光を形成する三板式プロジェクタ装置や、液晶パネル以外の空間的光変調手段によって画像光を形成するプロジェクタ装置においても同様である。
【０００５】
上記問題に鑑み、特許文献１には、光源から出射された白色光の分光性能を広帯域用と狭帯域用とに切替える切替手段を備えた液晶プロジェクタ装置が提案されている。そこで、特許文献１に開示されている液晶プロジェクタ装置の基本構成を図９に示す。この液晶プロジェクタ装置では、光源ａからの光線がインテグレータレンズｂ及びレンズｃで集光され、ダイクロイックミラーｄ〜ｉによって三原色に分光される。分光された各色光は、
三枚の液晶パネルｊ〜ｌにそれぞれに照射されて光変調される。光変調された各色光（Ｒ・Ｇ・Ｂの各画像光）は、ダイクロイックプリズムｍによって合成され、投射レンズｎを介して不図示のスクリーンに投射される。さらに、この液晶プロジェクタ装置は、上記切替手段として、三原色の各色のそれぞれの波長領域の端部をカットする特性を有する光フィルタｐを備えており、高色彩再現用（狭帯域用）のときには、光フィルタｐが分光前の光の光路に挿入され、高輝度画像表示用（広帯域用）のときには、光フィルタｐが上記光路から外される。
【０００６】
また、特許文献１には、上記切替手段として図１０に示すような反射部が開示されている。図１０に示されている反射部は、図９のミラーｈ、ｉの位置に用いられる反射部であ
る。また、図１０においてＳ１は、青光線では約４２０nm〜４９０nm、緑光線では約５２５nm〜５６５nm、赤光線では約６００nm〜７００nmの波長領域のＳ偏光成分を表している。また、Ｓ２は、青光線の約４１０nm〜５０５nm、緑光線では約５０５nm〜５８０nm、赤光線では約５８０nm〜７２０nmの各波長領域のうち、上記Ｓ１以外の領域のＳ偏光成分を表している。
【０００７】
図１０に示されている反射部では、Ｓ１＋Ｓ２（Ａ光線またはＣ光線）が第１ダイクロイックミラーｑに入射し、Ｓ１は反射され、Ｓ２はそのまま透過する。高輝度画像表示用のときには、第１偏光面回転素子（液晶層で構成、以下、液晶層ｒと記す）を偏光面非回転に制御し、第１ダイクロイックミラーｑからのＳ２をそのまま透過させる。ここで、第２ダイクロイックミラーｓは、Ｓ２を反射させるように設定されている。従って、液晶パネルｊ、ｌの液晶部には偏光板ｔを経てＳ１＋Ｓ２が照射される。
【０００８】
一方、高色彩再現用のときには、液晶層ｒを偏光面回転に制御し、Ｓ２の偏光面を４５度回転させる。すると、第２ダイクロイックミラーｓで反射されたＳ２は、液晶層ｒでさらに偏光面が４５度回転され、Ｐ偏光成分になる。この結果、偏光板ｔを透過できず、液晶部には色純度の高いＳ１のみが照射される。
【０００９】
さらに、特許文献１には、図１０に示す第１ダイクロイックミラーｑと第２ダイクロイックミラーｓとの間に偏光板を介在させ、同図に示す偏光板ｔを不要とした例も開示されている。
【特許文献１】特開２００１−１７４７７４号公報
【発明の開示】
【発明が解決しようとする課題】
【００１０】
特許文献１に開示されているように、光路に光フィルタを抜き差しすることによって、白色光の分光性能を広帯域用と狭帯域用とに切り替える場合は、光フィルタを物理的に移動させる必要がある。従って、光フィルタを移動させるための駆動機構やその駆動機構を制御するための制御機構などが必須となり、構成が複雑になるばかりでなく、高コスト化を招く。また、光フィルタの移動スペースを確保する必要があるため、装置全体の大型化を招く。
【００１１】
また、単板式プロジェクタでは、時分割でＲＧＢの各色の画像を形成している。例えば、ＮＴＳＣ方式の場合、画像信号のフィールド周波数は６０Ｈｚなので、１／６０秒で１フレームが切り替えられる。従って、カラーホイールは、１フレーム内でＲ・Ｇ・Ｂの各色を分離している。一方、ポリシリコン液晶を利用した偏光面回転素子の動作速度は数ｍ〜数十ｍSecである。この結果、色の選択タイミングに応じて、分光性能を広帯域用と狭帯域用とに切り替えるような高速処理は事実上不可能である。例えば、黄色やシアン等の混合色を再現する際には、分光性能を広帯域用に切り替えて色濃度を向上させ、単色を再現する際には、分光性能を狭帯域用に切替えて色純度を向上させるといった高速処理は不可能である。
【００１２】
さらに、単板式プロジェクタでは、カラーホイールの白フィルタを通過した白色光（光源から出射されたは白色光）と、赤色光、緑色光及び青色光を合成してできた白色光との間に差があり、その差が補正可能範囲を超える場合がある。そこで、色純度を重視する場合は、白フィルタが使用されている期間中、画像信号を停止させてしまう（白フィルタを通過した光は利用しない）のが一般的である。しかし、かかる手法によって色純度を向上させることは、輝度低下を招くことを意味する。
【００１３】
本発明は上記課題に鑑みてなされたものであり、その目的は、簡易かつコンパクトな構成でありながら、色純度重視の特性と輝度重視の特性とを高速で切り替え可能なプロジェクタ装置を提供することにある。
【課題を解決するための手段】
【００１４】
上記目的を達成する本発明のプロジェクタ装置は、光源と、光源から出射された光を赤色光、緑色光、青色光に時分割で分離する時分割色分離手段と、時分割色分離手段によって分離された各色光を変調して画像光を形成する空間的光変調手段と、空間的光変調手段によって形成された画像光を投射する投射光学系とを有し、光源から空間的光変調手段に至る光路上に、作動状態と非作動状態とを電気的に切り替え可能であって、作動状態においては、入射した光の短波長側の一部と長波長側の一部の双方または一方を上記光路外に回折させると共に、それ以外の光を透過させ、非作動時においては、入射した光をそのまま透過させる電子フィルタが設けられていることを特徴する。
【００１５】
また、本発明の他のプロジェクタ装置は、光源と、光源から出射された光を赤色光、緑色光、青色光にそれぞれ分離する２以上の色分離手段と、各色分離手段によって分離された各色光を変調して画像光を形成する２以上の空間的光変調手段と、各空間的光変調手段によって形成された２色以上の画像光を合成する合成手段と、合成手段によって合成された画像光を投射する投射光学系とを有し、光源から空間的光変調手段に至る光路上に、上記と同様の電子フィルタが設けられていることを特徴とする。
【００１６】
上記電子フィルタは、時分割色分離手段と空間的光変調手段との間に配置することができる。また、２以上の色分離手段によって分離された各色光の光路上にそれぞれ配置することもでる。さらには、作動状態において回折させる光の波長帯域が互いに異なる２種以上の電子フィルタを同一光路上に直列に配置することもできる。
【発明の効果】
【００１７】
電子フィルタを作動状態にすると、空間的光変調手段に入射する光の短波長側及び／又は長波長側の端部がカットされ、色純度が向上する。一方、電子フィルタを非作動状態にすると、電子フィルタに入射した光がそのまま空間的光変調手段に入射するので、輝度が向上する。さらに、電子フィルタは作動状態と非作動状態を電気的に切り替え可能なので、光路上に光学フィルタを挿抜する場合のようなスペース上の不都合を生じることなく、色純度重視の特性と、輝度重視の特性とを高速で切替えることができる。
【発明を実施するための最良の形態】
【００１８】
（実施形態１）
以下、本発明のプロジェクタ装置の実施形態の一例を図面に基づいて説明する。図１は、本例のプロジェクタ装置の構成概略を示す模式図である。本例のプロジェクタ装置は、光源１と、時分割色分離手段としてのカラーホイール２と、ライトトンネル３と、電子フィルタ４と、反射鏡５と、空間的光変調手段としての反射型液晶パネル６と、投射光学系７とを備えている。
【００１９】
光源１は、キセノンランプ、メタルハライドランプ、高圧水銀ランプなどの高圧放電灯である。光源１の周囲には、回転楕円面形状の反射面を有するリフレクタが配置されている。光源１は、リフレクタの反射面の第１焦点近傍に配置されており、光源１から出射された光は、リフレクタの反射面によって反射されて該反射面の第２焦点に向かって集光されつつ進む。
【００２０】
カラーホイール２は、図２に示すような円盤状であって、周方向に沿って区分された４つの扇形の領域に、それぞれ透過波長帯域が異なる３つの色フィルタ（赤フィルタＲ、緑フィルタＧ、青フィルタＢ）と、１つの透明フィルタ（白色フィルタＷ）とが形成されている。図３に、各フィルタの特性を示す。図３に示すグラフの縦軸は透過率（％）、横軸は波長（nm）を表している。図３のグラフから分かるように、赤フィルタＲは、赤色の波長帯域の光（以下「赤色光」）のみを透過させ、その他の波長帯域の光を反射又は吸収する。緑フィルタＧは、緑色の波長帯域の光（以下「緑色光」）のみを透過させ、その他の波長帯域の光を反射又は吸収する。青フィルタＢは、青色の波長帯域の光（以下「青色光」）のみを透過させ、その他の波長帯域の光を反射又は吸収する。また、白フィルタＷは、光源から出射された光（以下「白色光」）をそのまま透過させ、如何なる波長帯域の光も反射又は吸収しない。カラーホイール２は、上記リフレクタの第２焦点近傍に配置されており、リフレクタによって集光された光が各色フィルタＲ、Ｇ、Ｂ及び白フィルタＷに入射するようにしてある。また、カラーホイール２の中心には、不図示のモータの回転軸が直接又は間接的に連結されており、モータが駆動されると、カラーホイール２がその中心を回転中心として周方向に一定速度で回転する。この結果、リフレクタによって集光された光の光路上を色フィルタＲ、Ｇ、Ｂ及び白フィルタＷが一定周期で横切り、光源１から出射された光（白色光）は、赤色光、緑色光、青色光、白色光に時分割で分離される。
【００２１】
再び図１を参照すると、ライトトンネル３がカラーホイール２の先に配置されている。このライトトンネル３は、内面に反射膜が蒸着されたガラス製又はプラスチック製の角筒であり、カラーホイール２によって時分割で色分離された各色光は、ライトトンネル３の一方の開口部から入射し、ライトトンネル３内を全反射しながら進行し、他方の開口部から出射する。この間、ライトトンネル３内を進行する光は、全反射を繰り返すことによって進行方向と直交する光束断面内における輝度分布の均一化が図られる。すなわち、ライトトンネル３は、いわゆるインテグレータ光学系として機能している。
【００２２】
本例では、電子フィルタ４として、ＳＢＧＬａｂｓ社製のホログラフィック液晶を使用した。この電子フィルタ４は、図４に示すように、通常状態（OFF時）では入射した光をそのまま透過させるが、所定の電圧が印加された状態（ON時）では、特定波長の光を回折させる特性を有する。本例では、電圧印加時に回折させる特定波長が異なる一組の電子フィルタが直列に配置されている。具体的には、図５に示すように、電圧が印加されると、青色光の長波長側の端部及び緑色光の短波長側の端部の波長を回折させる特性を有する電子フィルタ４ａと、緑色光の長波長側の端部及び赤色光の短波長側の端部の波長を回折させる特性を有する電子フィルタ４ｂとが、ライトトンネル３と反射鏡５との間に直列に配置されている。従って、図６に示すように、カラーホイール２によって緑色光が取り出されるタイミングに合わせて電子フィルタ４ａ及び４ｂに電圧を印加すれば（両電子フィルタ４ａ及び４ｂを同時にONすれば）、緑色光の両端の波長がカットされ、中心波長のみが透過するので、相対的に高色純度の緑色光が反射光５に入射する。また、青色光が取り出されるタイミングに合わせて電子フィルタ４ａに電圧を印加すれば、青色光の長波長側の一部がカットされ、相対的に高色純度の青色光が反射光５に入射する。さらに、赤色光が取り出されるタイミングに合わせて電子フィルタ４ｂに電圧を印加すれば、赤色光の短波長側の一部がカットされ、相対的に高色純度の赤色光が反射鏡５に入射する。一方、電子フィルタ４ａ及び４ｂのいずれにも電圧を印加しなければ、カラーホイール２を透過した光がそのまま両電子フィルタ４ａ及び４ｂを透過するので、相対的に高輝度の光が反射鏡５に入射する。加えて、白色光が取り出されるタイミングに合わせて電子フィルタ４ａ及び４ｂに電圧を印加すれば、各色フィルタＲ、Ｇ、Ｂを通過した光について、赤色光と緑色光との境目及び緑色光と青色光との境目に相当する波長がカットされ、カットされずに通過したＲＧＢが合成された白色光が得られる。また、白フィルタＷを通過した光についても、そこに含まれる赤色光と緑色光との境目及び緑色光と青色光との境目に相当する波長がカットされる。従って、白フィルタＷを通過した光に各色フィルタＲ、Ｇ、Ｂによって分離された赤色光、緑色光及び青色光を合成したできた白色光と、白フィルタＷを通過した白色光（光源１から出射されたままの白色光）との差が小さくなる。この結果、色純度を重視する場合際にも白フィルタＷを通過した光が利用可能となり、輝度を低下させることなく、色純度を向上させることができる。
【００２３】
以上のように、カラーホイール２による色の選択タイミングに同期させて電子フィルタ４ａ及び４ｂの双方または一方を選択的にＯＮ／ＯＦＦさせることによって、１フレーム中で分光特性を変更することができる。さらに、色純度を重視の分光特性を選択した際にも輝度低下をなるべく少なくすることができる。このような高速処理が可能なのは、電子フィルタ４ａ、４ｂがポリシリコン液晶に比べて数十倍〜百倍程度の動作速度（応答速度）を有するからである。
【００２４】
図１に示す反射鏡５は、電子フィルタ４ａ、４ｂを透過した光を反射して反射型液晶パネル６に入射させる。反射鏡５によって反射された光は、反射型液晶パネル６の前面にほぼ均一に照射される。
【００２５】
反射型液晶パネル６は、不図示の駆動回路から出力された駆動信号に応じて、照射された光を空間的に変調し、Ｒ、Ｇ、Ｂの各色の画像光を形成する。具体的には、外部から入力された画像信号に応じて不図示の駆動回路から駆動信号が出力され、反射型液晶パネル６に入力される。すると、反射型液晶パネル６は、入力された駆動信号に応じて、各画素に対応するセルをON／OFFさせ、画像信号に応じた画像光を形成する。
【００２６】
反射型液晶パネル６によって形成された各色の画像光は、投射光学系７を介して不図示のスクリーンに順次投射される。この結果、スクリーンを見ている人間の目には、残像現象によってカラー画像と認識される。
【００２７】
（実施形態２）
以下、本発明のプロジェクタ装置の実施形態の他例を図面に基づいて説明する。図７は、本例のプロジェクタ装置の構成概略を示す模式図である。本例のプロジェクタ装置は、光源１０と、インテグレータ光学系２０と、偏光変換素子３０と、ダイクロイックミラー４０ａ〜４０ｃと、電子フィルタ５０、６０、７０と、全反射ミラー８０ａ、８０ｂと、透過型液晶パネル９０ａ〜９０ｃと、クロスダイクロイックプリズム１００と、投射光学系１１０とを備えている。
【００２８】
光源１０は、図１に示す光源１と同一であり、その周囲にはリフレクタが配置されている。インテグレータ光学系２０は、第１レンズアレイ２０ａ及び第２レンズアレイ２０ｂを有する。これら第１レンズアレイ２０ａ及び第２レンズアレイ２０ｂは、複数の微小な集光レンズから構成されており、第１レンズアレイ２０ａは、２次光源像を形成し、第２レンズアレイ２０ｂは、第１レンズアレイ２０ａを構成している個々の集光レンズの像を結像する。
【００２９】
偏光変換素子３０は、第２レンズアレイ２０ｂを出射した光に含まれるＳ偏光光又はＰ偏光光のいずれか一方の偏光方向を回転させて、Ｓ偏光光又はＰ偏光光に揃える。
【００３０】
ダイクロイックミラー４０ａは、入射した光のうち、赤色光のみを透過させて電子フィルタ５０に入射させ、他の色光を反射してダイクロイックミラー４０ｂに入射させる。ダイクロイックミラー４０ｂは、入射した光のうち、緑色光のみを反射して電子フィルタ６０に入射させ、他の色光を透過させてダイクロイックミラー４０ｃに入射させる。ダイクロイックミラー４０ｃは、入射した光のうち青色光のみを反射させて電子フィルタ７０に入射させる。以上によって、光源１０から出射された光（白色光）は、赤色光、緑色光、青色光にそれぞれ分離され、対応する電子フィルタ５０、６０、７０にそれぞれ入射する。
【００３１】
ダイクロイックミラー４０ａを透過した赤色光が入射する電子フィルタ５０は、該赤色光の光路上に直列に配置された一組の電子フィルタ５０ａ及び５０ｂから構成されている。ダイクロイックミラー４０ｂによって反射された緑色光が入射する電子フィルタ６０は、該緑色光の光路上に直列に配置された一組の電子フィルタ６０ａ及び６０ｂから構成されている。さらに、ダイクロイックミラー４０ｃによって反射された青色光が入射する電子フィルタ７０は、該青色光の光路上に直列に配置された一組の電子フィルタ７０ａ及び７０ｂから構成されている。これら複数の電子フィルタは、通常状態（OFF時）では入射した光をそのまま透過させるが、所定の電圧が印加された状態（ON時）では、特定波長の光を回折させる特性を有する点において共通している。但し、各電子フィルタは、電圧印加時に回折させる光の波長がそれぞれ異なる。具体的には、電子フィルタ５０ａは、赤色光の短波長側の端部波長を回折させ、電子フィルタ５０ｂは、赤色光の長波長側の端部波長を回折させる。また、電子フィルタ６０ａは、緑色光の短波長側の端部波長を回折させ、電子フィルタ６０ｂは、緑色光の長波長側の端部波長を回折させる。さらに、電子フィルタ７０ａは、青色光の短波長側の端部波長を回折させ、電子フィルタ７０ｂは、青色光の長波長側の端部波長を回折させる。従って、例えば、電子フィルタ５０ａ及び５０ｂに電圧を印加すれば、赤色光の短波長側及び長波長側の端部がそれぞれカットされ、中心波長のみが透過する。一方、電子フィルタ５０ａ及び５０ｂに電圧を印加しなければ、ダイクロイックミラー４０ａを透過した赤色光の全波長が電子フィルタ５０ａ及び５０ｂを透過する。この結果、電子フィルタ５０ａ及び５０ｂをONにすれば、赤色光の色純度が向上し、OFFにすれば輝度が向上する。以上のことは、緑色光及び青色光についても同様である。
【００３２】
全反射ミラー８０ａは、電子フィルタ５０ａ及び５０ｂを透過した赤色光を反射して、透過型液晶パネル９０ａに入射させる。また、全反射ミラー８０ｂは、電子フィルタ７０ａ及び７０ｂを透過した青色光を反射して、透過型液晶パネル９０ｃに入射させる。尚、透過型液晶パネル９０ｂには、電子フィルタ６０ａ及び６０ｂを透過した緑色光がそのまま入射する。
【００３３】
透過型液晶パネル９０ａ〜９０ｃは、入射した光を画像信号に応じて空間的に変調し、各色の画像光を形成する。形成された各色の画像光は、各色ごとに予め定められているクロスダイクロイックプリズム１００の所定の入射面から入射し、該プリズム１００内で合成されフルカラーの画像光となって、所定の出射面から出射する。クロスダイクロイックプリズム１００から出射されたフルカラーの画像光は、投射光学系１１０を介して不図示のスクリーン上に投射される。
【００３４】
（他の実施形態）
図１に示す電子フィルタ４に替えて、図７に示す電子フィルタ５０、６０、７０を採用することによって、緑色光のみでなく、青色光及び赤色光についても短波長側と長波長側の双方の端部をカット可能とすることができる。この場合、各色の色純度がより一層向上する。
【００３５】
また、図１や図７に示す電子フィルタは、電圧印加時に回折可能な波長帯域を複数有し、それら異なる回折波長帯域を電気的に切り替え可能な構成を有する電子フィルタに替えることもできる。この場合、１つの電子フィルタで、２つ以上の色光の中心波長を取り出すことができるので、上記作用効果をより少ない電子フィルタによって得ることが可能となる。
【００３６】
これまでは、空間的光変調手段が液晶パネルである場合を例にとって本発明の実施形態を説明してきたが、ＤＭＤ（Digital Micro-mirror Device）を用いた空間的光変調手段やその他の手段に替えることもできる。
【図面の簡単な説明】
【００３７】
【図１】本発明のプロジェクタ装置の実施形態の一例を示す模式図である。
【図２】図１のカラーホイールの構造を示す模式図である。
【図３】図１のカラーホイールの特性を示す図である。
【図４】図１の電子フィルタの作用を示す模式図である。
【図５】図１に示す２つの電子フィルタの配置状態を示す模式図である。
【図６】図１に示す電子フィルタの特性を示す図である。
【図７】本発明のプロジェクタ装置の実施形態の他例を示す模式図である。
【図８】従来の単板式液晶プロジェクタの概略を示す模式図である。
【図９】特許文献１に開示されている液晶プロジェクタ装置の概略を示す模式図である。
【図１０】特許文献１に開示されている切替手段を示す模式図である。
【符号の説明】
【００３８】
１、１０  光源
２  カラーホイール
３  ライトトンネル
４  電子フィルタ
５  反射鏡
６  反射型液晶パネル
７、１１０  投射光学系
２０  インテグレータ光学系
３０  偏光変換素子
４０  ダイクロイックミラー
５０  電子フィルタ
６０  電子フィルタ
７０  電子フィルタ
８０  全反射ミラー
９０  透過型液晶パネル
１００  クロスダイクロイックプリズム
【図１】
2005258163.tif 000003
【図２】
2005258163.tif 000004
【図３】
2005258163.tif 000005
【図４】
2005258163.tif 000006
【図５】
2005258163.tif 000007
【図６】
2005258163.tif 000008
【図７】
2005258163.tif 000009
【図８】
2005258163.tif 000010
【図９】
2005258163.tif 000011
【図１０】
2005258163.tif 000012